(57)【要約】【課題】フィルタ回路の実装方法に依らず安定した特性を有し、外部制御端子を備えるフィルタ回路を提供する。【解決手段】フィルタ回路１は、アンテナ側回路１１、送信側回路１２、受信側回路１３および外部接続キャパシタＣ１１を備える。アンテナ側回路１１はアンテナ側端子Ｔ１に接続される。送信側回路１２は送信側端子Ｔ２とアンテナ側回路１１とに接続される。受信側回路１３は受信側端子Ｔ３とアンテナ側回路１１とグランドとに接続される。外部接続キャパシタＣ１１は、アンテナ側回路１１および受信側回路１３の接続点１６と外部制御端子Ｔ１１との間に接続される。アンテナ側回路１１と送信側回路１２とはローパスフィルタを構成する。アンテナ側回路１１と受信側回路１３とはバンドパスフィルタを構成する。受信側回路１３はＬＣ並列共振回路ＬＣＰ１を有する。【選択図】図１
2014138366.tif 000002
【特許請求の範囲】
【請求項１】
第１の端子に接続される第１の回路と、
第２の端子と前記第１の回路とに接続される第２の回路と、
第３の端子と前記第１の回路とグランドとに接続される第３の回路と、
前記第１および第３の回路の接続点と外部制御端子との間に接続される外部接続キャパシタとを備え、
前記第１および第２の回路は第１のフィルタ回路を構成し、
前記第１および第３の回路は第２のフィルタ回路を構成し、
前記第３の回路はＬＣ並列共振回路を有し、
前記ＬＣ並列共振回路の第１端は前記接続点に接続され、
前記ＬＣ並列共振回路の第２端はグランドに接続されるフィルタ回路。
【請求項２】
前記第１のフィルタ回路を使用する場合、前記外部制御端子を接地し、
前記第２のフィルタ回路を使用する場合、前記外部制御端子を開放する、請求項１に記載のフィルタ回路。
【請求項３】
前記第１の回路はキャパシタを有し、
前記キャパシタは前記接続点に接続される、請求項１または２に記載のフィルタ回路。
【請求項４】
前記第１のフィルタ回路はローパスフィルタ回路を有し、
前記第２のフィルタ回路はバンドパスフィルタ回路を有する、請求項１ないし３のいずれかに記載のフィルタ回路。
【請求項５】
前記第３の回路は、第４の端子に接続され、第１および第２のインダクタを有し、
前記第３および第４の端子は平衡端子を構成し、
前記第１のインダクタは前記ＬＣ並列共振回路を構成し、
前記第２のインダクタは前記第１のインダクタと電磁界結合し、
前記第２のインダクタは前記第３および第４の端子との間に接続される、請求項１ないし４のいずれかに記載のフィルタ回路。
【請求項６】
誘電体層と電極層とビア電極とにより形成され、
前記誘電体層と前記電極層とは積層され、
前記ビア電極は前記誘電体層を貫通し、
インダクタとキャパシタとを備え、
複数の前記電極層が前記ビア電極を介して接続されることにより、前記インダクタは形成され、
２つの前記電極層が前記誘電体層を間に挟んで対向することにより、前記キャパシタは形成される、請求項１または２に記載のフィルタ回路。
【発明の詳細な説明】
【技術分野】
【０００１】
本発明は、外部制御端子を備えるフィルタ回路に関する。
【背景技術】
【０００２】
外部制御端子を備えるフィルタ回路は、例えば、アンテナと送受信用ＩＣとの間に実装される。このようなフィルタ回路では、送受信用の信号経路が外部制御端子により切り換えられる。従来のフィルタ回路として、例えば、図１２に示すようなものがある。
【０００３】
図１２は従来のフィルタ回路１Ｐを示す回路図である（非特許文献１参照）。フィルタ回路１Ｐは、アンテナ側回路１１Ｐと送信側回路１２Ｐと受信側回路１３Ｐとを備える。
アンテナ側回路１１Ｐはアンテナ側端子Ｔ１に接続されている。送信側回路１２Ｐは送信側端子Ｔ２とアンテナ側回路１１Ｐとに接続されている。受信側回路１３Ｐは受信側平衡端子Ｔ４，Ｔ５とアンテナ側回路１１Ｐとに接続されている。アンテナ側回路１１Ｐと受信側回路１３Ｐとの接続点１６は外部制御端子Ｔ１１に接続されている。
【０００４】
アンテナ側端子Ｔ１はアンテナＡＴに接続されている。送信側端子Ｔ２は外部回路ＴＸに接続されている。受信側平衡端子Ｔ４，Ｔ５は外部回路ＲＸに接続されている。外部制御端子Ｔ１１は外部回路ＣＴＬに接続されている。
アンテナ側回路１１Ｐはローパスフィルタを有している。送信側回路１２ＰはＬＣ並列共振回路を有している。受信側回路１３Ｐは平衡不平衡変換回路を有している。なお、送信に使用される周波数帯域と受信に使用される周波数帯域とは重なっている。
【０００５】
送信時、外部回路ＣＴＬのインピーダンスが十分小さく設定される。このため、外部制御端子Ｔ１１は接地され、接続点１６はグランド電位となる。この結果、受信側回路１３Ｐと外部回路ＲＸとはフィルタ回路１Ｐの特性に影響を与えなくなる。これにより、送信側端子Ｔ２へ入力された送信信号は、アンテナ側回路１１Ｐと送信側回路１２Ｐとから構成された送信フィルタ回路を通過し、アンテナ側端子Ｔ１からアンテナＡＴへ出力される。
【０００６】
受信時、外部回路ＣＴＬおよび外部回路ＴＸのインピーダンスが十分大きく設定される。このため、フィルタ回路１Ｐは、アンテナ側回路１１Ｐと受信側回路１３Ｐとから構成された受信フィルタ回路と等価になる。これにより、アンテナ側端子Ｔ１へ入力された受信信号は、アンテナ側回路１１Ｐのローパスフィルタを通過し、平衡不平衡変換回路により平衡信号に変換され、受信側平衡端子Ｔ４，Ｔ５から出力される。
【０００７】
すなわち、外部回路ＣＴＬのインピーダンス特性を制御することにより、送受信を切り換えることができる。そして、フィルタ回路１Ｐは、送信時に送信フィルタ回路と等価になり、受信時に受信フィルタ回路と等価になる。
【先行技術文献】
【非特許文献】
【０００８】
【非特許文献１】CC1120、p23、［online］、Texas instruments、［平成24年9月18日検索］、インターネット＜URL: http://www.ti.com/lit/ds/symlink/cc1120.pdf＞
【発明の概要】
【発明が解決しようとする課題】
【０００９】
図１２に示す外部回路ＣＴＬは、例えば、ＩＣ（IntegratedCircuit）である。通常、フィルタ回路１Ｐを構成する回路素子とこのＩＣとは別々のマザーボード上に実装される。このため、外部制御端子Ｔ１１とＩＣとを接続する線路は、ある程度長くなり、寄生インダクタンスを有することになる。この結果、外部制御端子Ｔ１１は完全には接地されないおそれがある。
【００１０】
この場合、接続点１６は外部制御端子Ｔ１１に短絡されているため、アンテナ側回路１１Ｐと送信側回路１２Ｐとから構成された送信フィルタ回路は線路の寄生インダクタンスの影響を受ける。そして、線路の寄生インダクタンスは線路長により変化するため、送信フィルタ回路の特性は、線路の線路長の影響を受け、不安定になる。
【００１１】
本発明の目的は、フィルタ回路の実装態様に依らず安定した特性を有し、外部制御端子により送受信が切り換わるフィルタ回路を提供することにある。
【課題を解決するための手段】
【００１２】
本発明に係るフィルタ回路は以下のように構成される。フィルタ回路は、第１ないし第３の回路と外部接続キャパシタとを備える。第１の回路は第１の端子に接続される。第２の回路は第２の端子と第１の回路とに接続される。第３の回路は第３の端子と第１の回路とグランドとに接続される。外部接続キャパシタは、第１および第３の回路の接続点と外部制御端子との間に接続される。第１および第２の回路は第１のフィルタ回路を構成する。第１および第３の回路は第２のフィルタ回路を構成する。第３の回路はＬＣ並列共振回路を有する。ＬＣ並列共振回路の第１端は前記接続点に接続される。ＬＣ並列共振回路の第２端はグランドに接続される。
【００１３】
この構成では、外部制御端子に接続される回路のインピーダンスを変えることにより、第１および第３の回路の接続点とグランドとの間のインピーダンスが変化する。これにより、本発明のフィルタ回路内の信号経路を切り換えることができ、本発明のフィルタ回路は送信および受信のそれぞれに対応することができる。
【００１４】
また、外部制御端子をグランドに線路により接続する場合、第１および第３の回路の接続点とグランドとの間の回路は、外部接続キャパシタ、線路の寄生インダクタおよび第３の回路から構成されるＬＣ回路となる。
【００１５】
この場合、寄生インダクタは第３の回路を構成するインダクタと並列に接続される。また、寄生インダクタの値は通常十分小さい。このため、寄生インダクタは使用周波数帯域で前記ＬＣ回路のインピーダンスにほとんど影響しない。この結果、外部制御端子に接続される線路の線路長等の実装態様に依らず、フィルタ回路は安定した特性を示す。
【発明の効果】
【００１６】
外部制御端子に接続される回路のインピーダンスを変えることにより送受信が切り換わるフィルタ回路を実現することができる。また、外部制御端子に接続される線路の線路長等の実装態様に依らず、フィルタ回路は安定した特性を示す。
【図面の簡単な説明】
【００１７】
【図１】第１の実施形態に係るフィルタ回路１を示す回路図である。
【図２】外部制御端子Ｔ１１が接地されたときのフィルタ回路１の一部を示す回路図である。
【図３】図３（Ａ）は送信時におけるフィルタ回路１の等価回路図である。図３（Ｂ）は受信時におけるフィルタ回路１の等価回路図である。
【図４】外部制御端子Ｔ１１をグランドに線路により接続したときのフィルタ回路１の一部を示す回路図である。
【図５】図５（Ａ）は、外部制御端子Ｔ１１を接地した場合におけるフィルタ回路１の特性を示す図である。図５（Ｂ）は、外部回路ＣＴＬおよび外部回路ＴＸのインピーダンスを十分大きく設定した場合におけるフィルタ回路１の特性を示す図である。
【図６】図６（Ａ）は積層体２の外観斜視図である。図６（Ｂ）は積層体２の分解斜視図である。
【図７】第２の実施形態に係るフィルタ回路１Ａを示す回路図である。
【図８】図８（Ａ）は、外部制御端子Ｔ１１を接地した場合におけるフィルタ回路１Ａの特性を示す図である。図８（Ｂ）は、外部回路ＣＴＬおよび外部回路ＴＸのインピーダンスを十分大きく設定した場合におけるフィルタ回路１Ａの特性を示す図である。
【図９】図９（Ａ）は積層体２Ａの外観斜視図である。図９（Ｂ）は積層体２Ａの分解斜視図である。
【図１０】第３の実施形態に係るフィルタ回路１Ｂを示す回路図である。
【図１１】第３の実施形態に係るフィルタ回路１Ｃを示す回路図である。
【図１２】従来のフィルタ回路１Ｐを示す回路図である。
【発明を実施するための形態】
【００１８】
《第１の実施形態》
本発明の第１の実施形態に係るフィルタ回路１について説明する。図１はフィルタ回路１を示す回路図である。フィルタ回路１は、アンテナ側回路１１、送信側回路１２、受信側回路１３および外部接続キャパシタＣ１１を備える。アンテナ側回路１１は本発明の第１の回路に相当する。送信側回路１２は本発明の第２の回路に相当する。受信側回路１３は本発明の第３の回路に相当する。
【００１９】
アンテナ側回路１１はアンテナ側端子Ｔ１に接続されている。送信側回路１２は送信側端子Ｔ２とアンテナ側回路１１とに接続されている。受信側回路１３は受信側端子Ｔ３とアンテナ側回路１１とグランドとに接続されている。アンテナ側端子Ｔ１は本発明の第１の端子に相当する。送信側端子Ｔ２は本発明の第２の端子に相当する。受信側端子Ｔ３は本発明の第３の端子に相当する。
【００２０】
外部接続キャパシタＣ１１の第１端は、アンテナ側回路１１と受信側回路１３との接続点１６に接続されている。外部接続キャパシタＣ１１の第２端は外部制御端子Ｔ１１に接続されている。アンテナ側端子Ｔ１はアンテナＡＴに、送信側端子Ｔ２は外部回路ＴＸに、受信側端子Ｔ３は外部回路ＲＸに、外部制御端子Ｔ１１は外部回路ＣＴＬに、それぞれ接続されている。
【００２１】
アンテナ側回路１１はインダクタＬ１とキャパシタＣ１とを有する。インダクタＬ１の第１端はアンテナ側端子Ｔ１に接続され、インダクタＬ１の第２端は、アンテナ側回路１１と送信側回路１２との接続点１５に接続されるとともに、キャパシタＣ１の第１端に接続されている。キャパシタＣ１の第２端は接続点１６に接続されている。
送信側回路１２はインダクタＬ２を有する。インダクタＬ２は接続点１５と送信側端子Ｔ２との間に接続されている。
【００２２】
受信側回路１３は、インダクタＬ３とキャパシタＣ２とから構成されるＬＣ並列共振回路ＬＣＰ１を有する。ＬＣ並列共振回路ＬＣＰ１の第１端は接続点１６と受信側端子Ｔ３とに接続されている。ＬＣ並列共振回路ＬＣＰ１の第２端はグランドに接続されている。
【００２３】
まず、送信時には、外部回路ＣＴＬのインピーダンスが十分小さく設定される。このため、外部制御端子Ｔ１１は接地される。この場合、外部接続キャパシタＣ１１、キャパシタＣ２およびインダクタＬ３は、図２に示すように、ＬＣ並列共振回路ＬＣＰ２を構成する。図２は、外部制御端子Ｔ１１が接地されたときのフィルタ回路１の一部を示す回路図である。ＬＣ並列共振回路ＬＣＰ２の共振周波数は、外部接続キャパシタＣ１１の容量により、ＬＣ並列共振回路ＬＣＰ１の共振周波数に比べて低くなる。
【００２４】
ところで、第１の実施形態では、送信に使用される周波数帯域と受信に使用される周波数帯域とは重なっている。また、ＬＣ並列共振回路ＬＣＰ１の共振周波数は受信用の周波数帯域内に位置している。
【００２５】
このため、ＬＣ並列共振回路ＬＣＰ２の共振周波数は送信用の周波数帯域から外れる。また、送信時の通過帯域では、接続点１６とグランドとの間のインピーダンスは低くなる。この結果、送信時の通過帯域では、外部回路ＲＸは送信信号にほとんど影響を与えなくなる。
【００２６】
したがって、送信時、フィルタ回路１は、図３（Ａ）に示すローパスフィルタＬＰＦ１とほぼ等価になる。図３（Ａ）は送信時におけるフィルタ回路１の等価回路図である。ローパスフィルタＬＰＦ１は、アンテナ側回路１１および送信側回路１２から構成されている。アンテナ側回路１１のキャパシタＣ１はグランドに接続されている。ローパスフィルタＬＰＦ１は本発明の第１のフィルタ回路に相当する。なお、より正確に近似すると、ローパスフィルタＬＰＦ１の接地容量は、キャパシタＣ１，Ｃ２および外部接続キャパシタＣ１１の容量を合成したものとなる。
【００２７】
送信側端子Ｔ２へ入力された送信信号は、ローパスフィルタＬＰＦ１を通過し、アンテナ側端子Ｔ１から出力される。送信信号がローパスフィルタＬＰＦ１を通過するとき、ローパスフィルタＬＰＦ１は送信信号の高調波成分を取り除く。
【００２８】
受信時には、外部回路ＣＴＬおよび外部回路ＴＸのインピーダンスが十分大きく設定される。この場合、送信側回路１２および外部接続キャパシタＣ１１は受信信号に影響を与えなくなる。
【００２９】
したがって、受信時、フィルタ回路１は、図３（Ｂ）に示すバンドパスフィルタＢＰＦ１とほぼ等価になる。図３（Ｂ）は受信時におけるフィルタ回路１の等価回路図である。バンドパスフィルタＢＰＦ１はアンテナ側回路１１および受信側回路１３から構成されている。バンドパスフィルタＢＰＦ１は本発明の第２のフィルタ回路に相当する。
【００３０】
アンテナ側端子Ｔ１へ入力された受信信号の周波数がバンドパスフィルタＢＰＦ１の通過帯域に位置する場合、受信信号は、バンドパスフィルタＢＰＦ１を通過し、受信側端子Ｔ３から出力される。
【００３１】
第１の実施形態によると、上記のように、外部回路ＣＴＬのインピーダンス特性を制御することにより、送受信を切り換えることができる。すなわち、外部制御端子Ｔ１１を接地した場合、アンテナ側端子Ｔ１と送信側端子Ｔ２とを有するローパスフィルタＬＰＦ１としてフィルタ回路１を用いることができる。外部回路ＣＴＬおよび外部回路ＴＸのインピーダンスを十分大きく設定した場合、アンテナ側端子Ｔ１と受信側端子Ｔ３とを有するバンドパスフィルタＢＰＦ１としてフィルタ回路１を用いることができる。
【００３２】
また、上記のように、外部制御端子Ｔ１１と外部回路ＣＴＬとを接続する線路は寄生インダクタを有する。このため、外部回路ＣＴＬの制御により外部制御端子Ｔ１１を接地しようとするとき、外部制御端子Ｔ１１は寄生インダクタを介してグランドに接続される。
【００３３】
図４は、外部制御端子Ｔ１１をグランドに線路により接続したときのフィルタ回路１の一部を示す回路図である。外部制御端子Ｔ１１とグランドとの間には、寄生インダクタＬ１１が接続されている。ＬＣ回路１４は、インダクタＬ３、寄生インダクタＬ１１、キャパシタＣ２および外部接続キャパシタＣ１１から構成される。
【００３４】
寄生インダクタＬ１１の値は他の回路素子の素子値にくらべて非常に小さい。また、寄生インダクタＬ１１がＬＣ回路１４の共振に主に寄与するときのみ、寄生インダクタＬ１１は接続点１６とグランドとの間のインピーダンスに影響を与える。延いては、ローパスフィルタＬＰＦ１として機能するフィルタ回路１の特性に影響を与える可能性がある。
【００３５】
寄生インダクタＬ１１と外部接続キャパシタＣ１１とが主に寄与してＬＣ回路１４が共振するとき、接続点１６とグランドとの間のインピーダンスの大きさはほぼ０となる。このため、この共振周波数において、寄生インダクタＬ１１はローパスフィルタＬＰＦ１の特性にほとんど影響を与えない。
【００３６】
また、寄生インダクタＬ１１とキャパシタＣ２とが主に寄与してＬＣ回路１４が共振するとき、接続点１６とグランドとの間のインピーダンスの大きさは極大値となる。しかし、寄生インダクタＬ１１の大きさが非常に小さいため、このときの共振周波数は、高調波が生じる周波数帯域に比べて十分大きくなる。このため、所定の周波数帯域でローパスフィルタＬＰＦ１を使用する限り、寄生インダクタＬ１１はローパスフィルタＬＰＦ１の特性にほとんど影響を与えない。
【００３７】
したがって、寄生インダクタＬ１１はフィルタ回路１の特性にほとんど影響を与えない。すなわち、フィルタ回路１は、線路の線路長等の実装態様に依らず、安定した特性を示す。
【００３８】
図５（Ａ）は、外部制御端子Ｔ１１を接地した場合におけるフィルタ回路１の特性を示す図である。図５（Ａ）の実線はアンテナ側端子Ｔ１と送信側端子Ｔ２との間の通過特性を示し、図５（Ａ）の破線はアンテナ側端子Ｔ１での反射特性を示す。なお、図５（Ａ）はシミュレーションによる計算結果である。
【００３９】
信号の周波数が１ＧＨｚより低いとき、挿入損失はほぼ０ｄＢである。信号の周波数が１ＧＨｚより高くなるにつれて、挿入損失は大きくなる。一方、信号の周波数が２ＧＨｚより高いとき、反射損失はほぼ０ｄＢである。信号の周波数が２ＧＨｚより低くなるにつれて、反射損失は小さくなる。すなわち、フィルタ回路１は、１ＧＨｚ付近と１ＧＨｚ付近より低い周波数帯域とを通過帯域とするローパスフィルタとして機能している。
【００４０】
図５（Ｂ）は、外部回路ＣＴＬおよび外部回路ＴＸのインピーダンスを十分大きく設定した場合におけるフィルタ回路１の特性を示す図である。図５（Ｂ）の実線はアンテナ側端子Ｔ１と受信側端子Ｔ３との間の通過特性を示し、図５（Ｂ）の破線はアンテナ側端子Ｔ１での反射特性を示す。なお、図５（Ｂ）はシミュレーションによる計算結果である。
【００４１】
信号の周波数が１ＧＨｚ付近であるとき、挿入損失はほぼ０ｄＢとなる。信号の周波数が１ＧＨｚ付近から外れるにつれて、挿入損失は大きくなる。一方、信号の周波数が１ＧＨｚ付近であるとき、反射損失は小さくなる。信号の周波数が１ＧＨｚ付近でないとき、反射損失はほぼ０ｄＢである。すなわち、フィルタ回路１は、１ＧＨｚ付近を通過帯域とするバンドパスフィルタとして機能している。
【００４２】
図６（Ａ）はフィルタ回路１の外観斜視図である。図６（Ｂ）はフィルタ回路１の分解斜視図である。
フィルタ回路１は略直方体状の積層体２に構成され、この積層体２は外部電極２１ないし２５を表面に有する。外部電極２１，２２，２３は、所定の間隔だけ互いに離れ、積層体の第１の側面に形成されている。外部電極２２は、外部電極２１，２３の間に位置している。外部電極２４は外部電極２３に対向して、外部電極２５は外部電極２１に対向して、それぞれ積層体の第２の側面（第１の側面の反対側の面）に形成されている。外部電極２１ないし２５は、積層体の上面と下面とに延びるように、形成されている。
【００４３】
積層体２は、誘電体層１０１ないし１０５と、各誘電体層に形成された電極層とを備える。誘電体層１０１ないし１０５は番号順に積層されている。以下では、略矩形状となる電極層を平板電極と称し、略線状の電極層を線状電極と称する。
【００４４】
線状電極３１，３２，３３は誘電体層１０１に形成されている。線状電極３１の第１端は外部電極２３に接続されている。線状電極３２の第１端は外部電極２４に接続されている。線状電極３１，３２は略ループ状に形成されている。
【００４５】
線状電極３４は誘電体層１０２に形成されている。線状電極３４の第１端は、ビア電極により線状電極３１の第２端に接続されている。線状電極３４の第２端は、ビア電極により線状電極３２の第２端に接続されている。線状電極３４は略ループ状に形成されている。
【００４６】
平板電極６１，６２は誘電体層１０３に形成されている。平板電極６１はビア電極により線状電極３４のセンターに接続されている。平板電極６２は外部電極２５に接続されるとともに、ビア電極により線状電極３３の第１端に接続されている。
【００４７】
平板電極６３，６４は誘電体層１０４に形成されている。平板電極６３は線状電極により平板電極６４と接続されている。平板電極６１，６３は誘電体層１０３を間に挟んで対向している。平板電極６４は、外部電極２１に接続されるとともに、ビア電極により線状電極３３の第２端に接続されている。平板電極６２，６４は誘電体層１０３を間に挟んで対向している。
平板電極６５は誘電体層１０５に形成されている。平板電極６４，６５は誘電体層１０４を間に挟んで対向している。
【００４８】
次に、図１の回路と図６の構成との対応について説明する。
アンテナ側端子Ｔ１は外部電極２４に対応し、送信側端子Ｔ２は外部電極２３に対応し、受信側端子Ｔ３は外部電極２１に対応し、外部制御端子Ｔ１１は外部電極２２に対応する。外部電極２５はグランドに接続される。
インダクタＬ１は、線状電極３２と、線状電極３４の第２端からセンターまでの部分と、これらを接続するビア電極とから構成される。インダクタＬ２は、線状電極３１と、線状電極３４の第１端からセンターまでの部分と、これらを接続するビア電極とから構成される。インダクタＬ３は、線状電極３３と線状電極３３の両端に接続されたビア電極とから構成される。
キャパシタＣ１は、平板電極６１，６３と誘電体層１０３とから構成される。キャパシタＣ２は、平板電極６２，６４と誘電体層１０３とから構成される。外部接続キャパシタＣ１１は、平板電極６３，６４，６５と誘電体層１０４とから構成される。
【００４９】
第１の実施形態によると、外部制御端子Ｔ１１を接地した場合、フィルタ回路１は、Ｔ型のローパスフィルタＬＰＦ１と等価になる。ローパスフィルタＬＰＦ１の接地容量は、キャパシタＣ１，Ｃ２および外部接続キャパシタＣ１１の容量を合成したものである。これにより、ローパスフィルタの容量を各キャパシタに分けることができるため、各キャパシタの容量を小さくすることができる。このため、各キャパシタを構成する平板電極の面積を小さくすることができる。したがって、各キャパシタを各層に配置することにより、フィルタ回路１が構成されている積層体２を小型化することができる。
【００５０】
外部接続キャパシタＣ１１は外部回路ＣＴＬに直接接続される。このため、外部接続キャパシタＣ１１の特性は外部回路ＣＴＬのインピーダンスの変化により影響を受ける。
【００５１】
一方、外部接続キャパシタＣ１１を構成する平板電極６３，６４，６５は、他の平板電極が形成されている誘電体層１０１ないし１０３には形成されず、誘電体層１０４，１０５に形成されている。すなわち、平板電極６３，６４，６５は他の平板電極から独立するように配置されている。
【００５２】
このため、外部接続キャパシタＣ１１の特性の変化が他の回路素子の特性に影響を与えることを抑制することができる。この結果、フィルタ回路１の特性を安定させることができる。
【００５３】
また、積層方向に垂直な方向から見て、平板電極６３，６４と平板電極６５とが重なる部分の面積は、他の対向する平板電極が重なる部分の面積より大きい。これにより、外部接続キャパシタＣ１１の容量は、他のキャパシタの容量より大きくなる。このため、ＬＣ並列共振回路ＬＣＰ２の共振周波数は、ＬＣ並列共振回路ＬＣＰ１の共振周波数と大きく異なる値となる。
【００５４】
一方、上記のように、送受信に使用する周波数帯域はいずれも１ＧＨｚ付近にある。また、ＬＣ並列共振回路ＬＣＰ１の共振周波数は受信用の周波数帯域内に位置している。
【００５５】
このため、外部制御端子Ｔ１１の接地時に、ＬＣ並列共振回路ＬＣＰ２が送信信号の通過特性に与える影響を十分に小さくすることができる。これにより、送受信を確実に切り換えることができる。
【００５６】
《第２の実施形態》
本発明の第２の実施形態に係るフィルタ回路１Ａについて説明する。図７はフィルタ回路１Ａを示す回路図である。フィルタ回路１Ａは、アンテナ側回路１１Ａ、送信側回路１２Ａ、受信側回路１３Ａおよび外部接続キャパシタＣ１１を備える。
【００５７】
アンテナ側回路１１Ａはアンテナ側端子Ｔ１に接続されている。送信側回路１２Ａは送信側端子Ｔ２とアンテナ側回路１１Ａとに接続されている。受信側回路１３Ａは受信側平衡端子Ｔ４，Ｔ５とアンテナ側回路１１Ａとグランドとに接続されている。受信側平衡端子Ｔ４，Ｔ５は本発明の第３および第４の端子に相当する。
【００５８】
外部接続キャパシタＣ１１の第１端は、アンテナ側回路１１Ａと受信側回路１３Ａとの接続点１６に接続されている。外部接続キャパシタＣ１１の第２端は外部制御端子Ｔ１１に接続されている。
【００５９】
アンテナ側端子Ｔ１はアンテナＡＴに、送信側端子Ｔ２は外部回路ＴＸに、受信側平衡端子Ｔ４，Ｔ５は外部回路ＲＸに、外部制御端子Ｔ１１は外部回路ＣＴＬに、それぞれ接続されている。
【００６０】
アンテナ側回路１１Ａは、第１の実施形態に係るアンテナ側回路１１の構成に加えて、インダクタＬ４ＡとキャパシタＣ３Ａ，Ｃ４Ａ，Ｃ５Ａとを有する。インダクタＬ４ＡとキャパシタＣ３Ａ，Ｃ４Ａ，Ｃ５Ａとは、ローパスフィルタＬＰＦ２Ａを構成し、アンテナ側端子Ｔ１とインダクタＬ１との間に接続されている。
【００６１】
送信側回路１２Ａは、第１の実施形態に係る送信側回路１２の構成に加えて、キャパシタＣ６Ａ，Ｃ７Ａを有する。キャパシタＣ６ＡはインダクタＬ２と送信側端子Ｔ２との間に接続されている。キャパシタＣ７Ａは、キャパシタＣ６Ａおよび送信側端子Ｔ２の接続点とグランドとの間に接続されている。
【００６２】
受信側回路１３Ａは、第１の実施形態に係る受信側回路１３の構成に加えて、インダクタＬ５Ａ，Ｌ６Ａ，Ｌ７ＡとキャパシタＣ８Ａ，Ｃ９Ａとを有する。インダクタＬ３は本発明の第１のインダクタに相当する。インダクタＬ５Ａは本発明の第２のインダクタに相当する。
【００６３】
インダクタＬ５ＡはインダクタＬ３と電磁界結合している。インダクタＬ５Ａの第１端はインダクタＬ６Ａを介して受信側平衡端子Ｔ４に接続されている。インダクタＬ５Ａの第２端はインダクタＬ７Ａを介して受信側平衡端子Ｔ５に接続されている。また、インダクタＬ５Ａはその途中からグランドに接続されている。
【００６４】
キャパシタＣ８Ａの第１端はインダクタＬ６Ａと受信側平衡端子Ｔ４との接続点に接続されている。キャパシタＣ９Ａの第１端はインダクタＬ７Ａと受信側平衡端子Ｔ５との接続点に接続されている。キャパシタＣ８Ａの第２端はキャパシタＣ９Ａの第２端と接続されている。
【００６５】
送信時には、外部回路ＣＴＬのインピーダンスが十分小さく設定される。このため、外部制御端子Ｔ１１は接地される。この場合、第１の実施形態の場合と同様に、フィルタ回路１Ａをローパスフィルタとみなすことができる。送信側端子Ｔ２へ入力された送信信号は、前記ローパスフィルタを通過し、アンテナ側端子Ｔ１から出力される。なお、ローパスフィルタＬＰＦ２Ａは、前記ローパスフィルタの減衰特性を向上させるために挿入されている。
【００６６】
受信時には、外部回路ＣＴＬおよび外部回路ＴＸのインピーダンスが十分大きく設定される。この場合、第１の実施形態の場合と同様に、フィルタ回路１Ａをバンドパスフィルタとみなすことができる。このバンドパスフィルタはアンテナ側回路１１Ａおよび受信側回路１３Ａから構成される。また、インダクタＬ３，Ｌ５Ａ，Ｌ６Ａ，Ｌ７ＡとキャパシタＣ８Ａ，Ｃ９Ａとは平衡不平衡変換回路を構成する。
【００６７】
アンテナ側端子Ｔ１へ入力された受信信号の周波数がバンドパスフィルタの通過帯域に位置する場合、受信信号はバンドパスフィルタを通過する。通過した受信信号は、平衡不平衡変換回路により平衡信号に変換され、受信側平衡端子Ｔ４，Ｔ５から出力される。
【００６８】
第２の実施形態によると、第１の実施形態と同様に、外部回路ＣＴＬのインピーダンス特性を制御することにより、送受信を切り換えることができる。すなわち、外部制御端子Ｔ１１を接地した場合、ローパスフィルタとしてフィルタ回路１Ａを用いることができる。外部回路ＣＴＬおよび外部回路ＴＸのインピーダンスを十分大きく設定した場合、バンドパスフィルタと平衡不平衡変換回路とを備えるフィルタ回路としてフィルタ回路１Ａを用いることができる。また、フィルタ回路１Ａは、第１の実施形態と同様に、線路の線路長等の実装態様に依らず、安定した特性を示す。
【００６９】
図８（Ａ）は、外部制御端子Ｔ１１を接地した場合におけるフィルタ回路１Ａの特性を示す図である。図８（Ａ）の実線はアンテナ側端子Ｔ１と送信側端子Ｔ２との間の通過特性を示し、図８（Ａ）の破線は送信側端子Ｔ２の反射特性を示す。なお、図８（Ａ）は実測値である。
【００７０】
信号の周波数が０．８ＧＨｚより低いとき、挿入損失はほぼ０ｄＢである。信号の周波数が０．８ＧＨｚより高くなるにつれて、挿入損失はフィルタ回路１の場合に比べて急速に大きくなる。一方、信号の周波数が０．８ＧＨｚ付近より高いとき、反射損失はほぼ０ｄＢである。信号の周波数が０．８ＧＨｚ付近であるとき、反射損失は小さくなる。すなわち、フィルタ回路１Ａは、０．８ＧＨｚ付近と０．８ＧＨｚ付近より小さい周波数帯域とを通過帯域とするローパスフィルタとして機能している。また、ローパスフィルタＬＰＦ２Ａを挿入したことにより、前記ローパスフィルタの減衰特性はフィルタ回路１の場合に比べて高周波側で向上している。
【００７１】
図８（Ｂ）は、外部回路ＣＴＬおよび外部回路ＴＸのインピーダンスを十分大きく設定した場合におけるフィルタ回路１Ａの特性を示す図である。図８（Ｂ）の実線は、ディファレンシャルモードで、信号がアンテナ側端子Ｔ１から入力され、受信側平衡端子Ｔ４，Ｔ５から出力される場合における通過特性を示し、図８（Ｂ）の破線はその反射特性を示す。なお、図８（Ｂ）は実測値である。
【００７２】
信号の周波数が０．８ＧＨｚ付近であるとき、挿入損失はほぼ０ｄＢとなる。信号の周波数が０．８ＧＨｚ付近から外れるにつれて、挿入損失はフィルタ回路１の場合に比べて急速に大きくなる。一方、信号の周波数が０．８ＧＨｚ付近であるとき、反射損失は小さくなる。信号の周波数が１ＧＨｚ付近でないとき、反射損失はほぼ０ｄＢである。すなわち、フィルタ回路１Ａは０．８ＧＨｚ付近を通過帯域とするバンドパスフィルタとして機能している。また、前記バンドパスフィルタの減衰特性はフィルタ回路１の場合に比べて高周波側で向上している。
【００７３】
図９（Ａ）は積層体２Ａの外観斜視図である。図９（Ｂ）は積層体２Ａの分解斜視図である。
フィルタ回路１Ａは略直方体状の積層体２Ａに構成され、積層体２Ａは外部電極２１Ａないし２８Ａを表面に有する。外部電極２１Ａないし２４Ａは、所定の間隔だけ互いに離れ、積層体の第１の側面に形成されている。外部電極２１Ａないし２４Ａは番号順に並んでいる。外部電極２５Ａは外部電極２４Ａに対向して、外部電極２６Ａは外部電極２３Ａに対向して、外部電極２７Ａは外部電極２２Ａに対向して、外部電極２８Ａは外部電極２１Ａに対向して、それぞれ積層体の第２の側面（第１の側面の反対側の面）に形成されている。外部電極２１Ａないし２８Ａは、積層体の上面と下面とに延びるように形成されている。
【００７４】
積層体２Ａは誘電体層１０１Ａないし１１２Ａを備える。誘電体層１０１Ａないし１１２Ａは番号順に積層されている。
誘電体層１０１Ａには線状電極３１Ａが形成されている。誘電体層１０２Ａには線状電極３２Ａ，３３Ａ，３４Ａ，３７Ａ，３８Ａが形成されている。誘電体層１０３Ａには線状電極３２Ａ，３３Ａ，３５Ａ，３６Ａ，３７Ａ，３８Ａが形成されている。誘電体層１０４Ａには線状電極３２Ａ，３３Ａ，３５Ａ，３６Ａ、３９Ａが形成されている。誘電体層１０５Ａには線状電極３２Ａ，３３Ａ，３５Ａ，３６Ａ，３７Ａ，４０Ａが形成されている。誘電体層１０６Ａには線状電極３２Ａ，３６Ａ，４０Ａ，４１Ａが形成されている。線状電極４１Ａは端部４１Ａ１ないし４１Ａ４を有する。各層の線状電極は略ループ状に形成されている。
【００７５】
積層方向から見て、線状電極３９Ａは誘電体層１０３Ａ，１０５Ａの線状電極３７Ａと重なるように形成されている。これにより、線状電極３９Ａは誘電体層１０３Ａ，１０５Ａの線状電極３７Ａと磁界結合する。
【００７６】
誘電体層１０１Ａないし１０６Ａに形成された線状電極３２Ａは、順次に繋がれるように、ビア電極により接続されている。各層に形成された線状電極３３Ａ，３５Ａ，３６Ａ、３７Ａ，３８Ａ，４０Ａも、同様である。
【００７７】
線状電極３１Ａの第１端は、誘電体層１０２Ａの線状電極３２Ａの端部にビア電極により接続されている。線状電極３１Ａの第２端は、誘電体層１０２Ａの線状電極３３Ａの端部にビア電極により接続されている。
線状電極３４Ａの第１端は、誘電体層１０３Ａの線状電極３５Ａの端部にビア電極により接続されている。線状電極３４Ａの第２端は、誘電体層１０３Ａの線状電極３６Ａの端部にビア電極により接続されている。誘電体層１０２Ａの線状電極３７Ａの端部は外部電極２３Ａに接続されている。誘電体層１０２Ａの線状電極３８Ａの端部は外部電極２５Ａに接続されている。
誘電体層１０３Ａの線状電極３８Ａの端部は、線状電極３９Ａの第１端にビア電極により接続されている。
線状電極３９Ａの第２端は、誘電体層１０５Ａの線状電極４０Ａの端部にビア電極により接続されている。線状電極３９Ａの所定箇所は、誘電体層１０５Ａの線状電極３７Ａの所定箇所にビア電極により接続されている。
誘電体層１０５Ａの線状電極３７Ａの端部は外部電極２４Ａに接続されている。これにより、線状電極３９Ａの所定箇所は、ビア電極と誘電体層１０５Ａの線状電極３７Ａの一部とを介して、外部電極２４Ａに接続される。
誘電体層１０５Ａの線状電極３３Ａの端部は、線状電極４１Ａの端部４１Ａ１にビア電極により接続されている。誘電体層１０５Ａの線状電極３５Ａの端部は、線状電極４１Ａの端部４１Ａ３にビア電極により接続されている。
誘電体層１０６Ａの線状電極３６Ａの端部は外部電極２２Ａに接続されている。誘電体層１０６Ａの線状電極４０Ａの端部は外部電極２６Ａに接続されている。
【００７８】
平板電極６１Ａ，６２Ａ，６３Ａは誘電体層１０７Ａに形成されている。平板電極６１Ａは外部電極２４Ａに接続されている。平板電極６２Ａは、線状電極４１Ａの端部４１Ａ２にビア電極により接続されている。平板電極６３Ａは、誘電体層１０６Ａの線状電極３２Ａの端部にビア電極により接続されている。
【００７９】
平板電極６４Ａ，６５Ａは誘電体層１０８Ａに形成されている。平板電極６４Ａは外部電極２３Ａに接続されている。平板電極６５Ａは外部電極２８Ａに接続されている。平板電極６１Ａ，６４Ａは誘電体層１０７Ａを間に挟んで対向している。平板電極６２Ａ，６４Ａは誘電体層１０７Ａを間に挟んで対向している。平板電極６３Ａ，６５Ａは誘電体層１０７Ａを間に挟んで対向している。
【００８０】
平板電極６６Ａ，６７Ａ，６８Ａは誘電体層１０９Ａに形成されている。平板電極６６Ａは外部電極２２Ａに接続されている。平板電極６７Ａは外部電極２７Ａに接続されている。平板電極６８Ａは、ビア電極により平板電極６３Ａに接続されている。平板電極６４Ａ，６７Ａは誘電体層１０８Ａを間に挟んで対向している。平板電極６５Ａ，６８Ａは誘電体層１０８Ａを間に挟んで対向している。
【００８１】
平板電極６９Ａ，７０Ａ，７１Ａ，７２Ａは誘電体層１１０Ａに形成されている。平板電極６９Ａは、線状電極４１Ａの端部４１Ａ４にビア電極により接続されている。平板電極７０Ａは外部電極２５Ａに接続されている。平板電極７１Ａは外部電極２６Ａに接続されている。平板電極７２Ａは外部電極２１Ａに接続されている。平板電極６６Ａ，６９Ａは誘電体層１０９Ａを間に挟んで対向している。平板電極６８Ａ，７２Ａは誘電体層１０９Ａを間に挟んで対向している。
【００８２】
平板電極７３Ａ，７４Ａは誘電体層１１１Ａに形成されている。平板電極７３Ａは外部電極２１Ａに接続されている。平板電極６９Ａ，７３Ａは誘電体層１１０Ａを間に挟んで対向している。平板電極７０Ａ，７４Ａは誘電体層１１０Ａを間に挟んで対向している。平板電極７１Ａ，７４Ａは誘電体層１１０Ａを間に挟んで対向している。
【００８３】
平板電極７５Ａ，７６Ａ，７７Ａは誘電体層１１２Ａに形成されている。平板電極７６Ａは外部電極２５Ａに接続されている。平板電極７７Ａは外部電極２６Ａに接続されている。平板電極７５Ａは外部電極２２Ａに接続されている。平板電極７３Ａ，７５Ａは誘電体層１１１Ａを間に挟んで対向している。平板電極７４Ａ，７６Ａは誘電体層１１１Ａを間に挟んで対向している。平板電極７４Ａ，７７Ａは誘電体層１１１Ａを間に挟んで対向している。
【００８４】
次に、図７の回路と図９（Ｂ）の構成との対応について説明する。
アンテナ側端子Ｔ１は外部電極２２Ａに対応し、送信側端子Ｔ２は外部電極２８Ａに対応し、受信側平衡端子Ｔ４は外部電極２５Ａに対応し、受信側平衡端子Ｔ５は外部電極２６Ａに対応し、外部制御端子Ｔ１１は外部電極２７Ａに対応する。外部電極２１Ａ，２４Ａはグランドに接続される。
【００８５】
インダクタＬ１は線状電極４１Ａから構成される。インダクタＬ２は、誘電体層１０１Ａの線状電極３１Ａ、誘電体層１０２Ａないし１０６Ａの線状電極３２Ａ、誘電体層１０２Ａないし１０５Ａの線状電極３３Ａおよびこれらを接続するビア電極から構成される。インダクタＬ３は、誘電体層１０２Ａ，１０３Ａ，１０５Ａの線状電極３７Ａおよびこれらを接続するビア電極から構成される。インダクタＬ４Ａは、誘電体層１０２Ａの線状電極３４Ａ、誘電体層１０３Ａないし１０５Ａの線状電極３５Ａ、誘電体層１０３Ａないし１０６Ａの線状電極３６Ａおよびこれらを接続するビア電極から構成される。インダクタＬ５Ａは誘電体層１０４Ａの線状電極３９Ａから構成される。インダクタＬ６Ａは、誘電体層１０５Ａ，１０６Ａの線状電極４０Ａおよびこれらを接続するビア電極とから構成される。インダクタＬ７Ａは、誘電体層１０２Ａ，１０３Ａの線状電極３８Ａおよびこれらを接続するビア電極から構成される。
【００８６】
キャパシタＣ１は平板電極６２Ａ，６４Ａと誘電体層１０７Ａとから構成される。キャパシタＣ２は平板電極６１Ａ，６４Ａと誘電体層１０７Ａとから構成される。キャパシタＣ３Ａは平板電極７３Ａ，７５Ａと誘電体層１１１Ａとから構成される。キャパシタＣ４Ａは平板電極６９Ａ，７３Ａと誘電体層１１０Ａとから構成される。キャパシタＣ５Ａは平板電極６６Ａ，６９Ａと誘電体層１０９Ａとから構成される。キャパシタＣ６Ａは、平板電極６３Ａ，６５Ａ，６８Ａと誘電体層１０７Ａ，１０８Ａと平板電極６３Ａ，６８Ａを接続するビア電極とから構成される。キャパシタＣ７Ａは平板電極６８Ａ，７２Ａと誘電体層１０９Ａとから構成される。キャパシタＣ８Ａは平板電極７０Ａ，７４Ａ，７６Ａと誘電体層１１０Ａ，１１１Ａとから構成される。キャパシタＣ９Ａは平板電極７１Ａ，７４Ａ，７７Ａと誘電体層１１０Ａ，１１１Ａとから構成される。
【００８７】
第２の実施形態によると、線状電極３９Ａの所定箇所は、誘電体層１０５Ａの線状電極３７Ａの所定箇所にビア電極により接続されている。これにより、線状電極３９Ａの所定箇所は、ビア電極と誘電体層１０５Ａの線状電極３７Ａの一部とを介して、外部電極２４Ａに接続される。すなわち、インダクタＬ５Ａの所定箇所は、ビア電極とインダクタＬ３の一部とを介してグランドに接続されている。これにより、平衡不平衡変換回路の位相の基準を最適に調整することができる。したがって、フィルタ回路１Ａのバランス特性を調整することができる。
【００８８】
また、キャパシタＣ８Ａ，Ｃ９Ａは接地されない。これにより、平衡不平衡変換回路の位相の基準が、フィルタ回路１Ａの実装態様によるグランド電位の変化の影響を受けない。したがって、フィルタ回路１Ａのバランス特性を安定させることができる。また、ビア電極または線状電極により、キャパシタＣ８Ａ，Ｃ９Ａを構成する平板電極７４Ａを外部電極２１Ａまたは外部電極２４Ａに接続する必要がないので、積層体２Ａを小型化することができる。
【００８９】
また、送信用の電極層が積層体２Ａの一方側に主に形成され、受信用の電極層が他方側に主に形成されている。すなわち、送信側回路１２Ａを構成する電極層が積層体２Ａの一方側に形成され、受信側回路１３Ａを構成する電極層が積層体２Ａの他方側に形成されている。これにより、送信側回路１２Ａのインダクタを構成する電極層は、積層方向から見て、受信側回路１３Ａのインダクタを構成する電極層と重ならない。このため、フィルタ回路１Ａのアイソレーション特性を向上させることができる。
【００９０】
また、線状電極が積層体２Ａの第１主面側に形成され、平板電極が積層体２Ａの第２主面側に形成されている。これにより、線状電極の周りに発生する磁界が平板電極により妨げられることを抑制することができる。このため、フィルタ回路１ＡのＱ値を向上させることができる。
【００９１】
《第３の実施形態》
本発明の第３の実施形態に係るフィルタ回路１Ｂについて説明する。図１０はフィルタ回路１Ｂを示す回路図である。フィルタ回路１Ｂは、第１の実施形態に係る受信側回路１３に代えて、受信側回路１３Ｂを備える。受信側回路１３Ｂは、第１の実施形態と同様に、接続点１６と受信側端子Ｔ３とグランドとに接続されている。
【００９２】
フィルタ回路１Ｂは、第１の実施形態の構成に加えて、インダクタＬ４ＢとキャパシタＣ３Ｂとから構成されるＬＣ並列共振回路を有する。このＬＣ並列共振回路は受信側端子Ｔ３とグランドとの間に接続されている。インダクタＬ４ＢはインダクタＬ３と電磁界結合している。
【００９３】
送信時、外部回路ＣＴＬのインピーダンスが十分小さく設定される。このため、外部制御端子Ｔ１１は接地される。この場合、第１の実施形態と同様に、フィルタ回路１Ｂをローパスフィルタとみなすことができる。送信側端子Ｔ２へ入力された送信信号は、このローパスフィルタを通過し、アンテナ側端子Ｔ１から出力される。
【００９４】
受信時、外部回路ＣＴＬおよび外部回路ＴＸのインピーダンスが十分大きく設定される。この場合、第１の実施形態と同様に、フィルタ回路１Ｂをバンドパスフィルタとみなすことができる。このバンドパスフィルタはアンテナ側回路１１および受信側回路１３Ｂから構成される。アンテナ側端子Ｔ１へ入力された受信信号の周波数がバンドパスフィルタの通過帯域に位置する場合、受信信号は、バンドパスフィルタを通過し、受信側端子Ｔ３から出力される。
【００９５】
なお、本発明のフィルタ回路をフィルタ回路１Ｃとしてもよい。図１１はフィルタ回路１Ｃを示す回路図である。フィルタ回路１Ｃは、第１の実施形態に係る受信側回路１３に代えて、受信側回路１３Ｃを備える。受信側回路１３Ｃは、第１の実施形態と同様に、接続点１６と受信側端子Ｔ３とグランドとに接続されている。受信側回路１３Ｃは、第１の実施形態に係るＬＣ並列共振回路ＬＣＰ１に代えてハイパスフィルタＨＰＦ１Ｃを有する。ハイパスフィルタＨＰＦ１Ｃは、グランドに接続されているインダクタＬ３Ｃ，Ｌ４Ｃを有する。
【００９６】
インダクタＬ３Ｃ，Ｌ４Ｃを構成する電極（以下、インダクタ電極と称する）は微小な容量を有する。図１１に示すキャパシタＣ３Ｃ，Ｃ４Ｃはこの微小な容量を表している。そして、インダクタＬ３ＣおよびキャパシタＣ３ＣならびにインダクタＬ４ＣおよびキャパシタＣ４ＣはＬＣ並列共振回路を構成する。このため、フィルタ回路１Ｃを実装する場合、第１の実施形態と同様のＬＣ並列共振回路が生じる。したがって、フィルタ回路１Ｃにおいても、外部制御端子Ｔ１１により送受信を切り換えることができる。
【００９７】
なお、インダクタ電極自体が有する容量はインダクタ電極の形状により変化する。例えば、第２の実施形態のように、インダクタ電極をスパイラル形状に形成した場合、インダクタ電極を構成する線状電極間でも容量が発生する。このため、インダクタ電極が有する容量は比較的大きくなる。
【００９８】
また、インダクタ電極が有する容量を考慮に入れると、受信側回路がインダクタのみを有するように、フィルタ回路を構成してもよい。この場合でも、並列共振回路が形成されるため、第１の実施形態と同様の効果を得ることができる。
【００９９】
送信時、外部回路ＣＴＬのインピーダンスが十分小さく設定される。このため、外部制御端子Ｔ１１は接地される。この場合、アンテナ側端子Ｔ１と送信側端子Ｔ２とを有するローパスフィルタとしてフィルタ回路１Ｃを用いることができる。
【０１００】
受信時、外部回路ＣＴＬおよび外部回路ＴＸのインピーダンスが十分大きく設定される。この場合、アンテナ側端子Ｔ１と受信側端子Ｔ３とを有するハイパスフィルタとしてフィルタ回路１Ｃを用いることができる。
【０１０１】
第３の実施形態によると、上記のように、外部回路ＣＴＬのインピーダンス特性を制御することにより、送受信を切り換えることができる。また、フィルタ回路１Ｂ，１Ｃは、第１の実施形態と同様に、線路の線路長等の実装態様に依らず、安定した特性を示す。
【符号の説明】
【０１０２】
１，１Ａ，１Ｂ，１Ｃ，１Ｐ…フィルタ回路
２，２Ａ…積層体
１１，１１Ａ，１１Ｐ…アンテナ側回路
１２，１２Ａ，１２Ｐ…送信側回路
１３，１３Ａ，１３Ｂ，１３Ｃ，１３Ｐ…受信側回路
１４…ＬＣ回路
１５，１６…接続点
２１〜２５，２１Ａ〜２８Ａ…外部電極
３１〜３５，３１Ａ〜４１Ａ…線状電極
６１〜６５，６１Ａ〜７７Ａ…平板電極
１０１〜１０５…誘電体層
１０１Ａ〜１１２Ａ…誘電体層
ＡＴ…アンテナ
ＣＴＬ，ＲＸ，ＴＸ…外部回路
Ｃ１，Ｃ２，Ｃ３Ａ，Ｃ４Ａ，Ｃ５Ａ，Ｃ６Ａ，Ｃ７Ａ，Ｃ８Ａ，Ｃ９Ａ，Ｃ３Ｂ，Ｃ３Ｃ，Ｃ４Ｃ…キャパシタ
Ｃ１１…外部接続キャパシタ
Ｌ１，Ｌ２，Ｌ３，Ｌ４Ａ，Ｌ５Ａ，Ｌ６Ａ，Ｌ７Ａ，Ｌ４Ｂ…インダクタ
Ｌ１１…寄生インダクタ
Ｔ１…アンテナ側端子
Ｔ２…送信側端子
Ｔ３…受信側端子
Ｔ４，Ｔ５…受信側平衡端子
Ｔ１１…外部制御端子
ＬＣＰ１，ＬＣＰ２…ＬＣ並列共振回路
ＬＰＦ１，ＬＰＦ２Ａ…ローパスフィルタ
ＢＰＦ１…バンドパスフィルタ
ＨＰＦ１Ｃ…ハイパスフィルタ
【図１】
2014138366.tif 000003
【図２】
2014138366.tif 000004
【図３】
2014138366.tif 000005
【図４】
2014138366.tif 000006
【図５】
2014138366.tif 000007
【図６】
2014138366.tif 000008
【図７】
2014138366.tif 000009
【図８】
2014138366.tif 000010
【図９】
2014138366.tif 000011
【図１０】
2014138366.tif 000012
【図１１】
2014138366.tif 000013
【図１２】
2014138366.tif 000014